(57)【特許請求の範囲】
【請求項１】
居室内の空気を取り込む矩形状に形成された吸込口、前記吸込口の周囲に９０°間隔に配置された吹出口、及び前記吹出口の夫々に配置された風向調整ルーバーを備える矩形状に形成された化粧パネルと、前記吸込口から前記居室の空気を吸い込む送風機、吸い込まれた空気を熱交換する熱交換器、及び前記熱交換器からの熱交換された空気を前記吹出口に流す風路を備える筐体と、少なくとも前記風向調整ルーバーの動作を制御する制御手段からなる室内機を有する空気調和装置において、
前記制御手段は、所定の条件の下で、前記化粧パネルに設けた夫々対向した２つの前記吹出口、或いは隣り合う２つの前記吹出口を対として、前記吹出口に設けた前記風向調整ルーバーを回転させて前記吹出口を遮蔽する風速増大制御手段を備えていると共に、
前記風速増大制御手段は、前記対となる前記吹出口の前記風向調整ルーバーと、この他の対となる前記吹出口の前記風向調整ルーバーを、所定時間経過毎に交互に夫々の前記吹出口を遮蔽し、
更に、前記風速増大制御手段は、夫々の前記対となる前記吹出口の前記風向調整ルーバーによって遮蔽される時間の合計時間が所定の制限時間を超えた場合は、全ての前記吹出口を前記風向調整ルーバーによる遮蔽状態から開放状態に移行することを特徴とする空気調和装置。
【請求項２】
請求項１に記載の空気調和装置において、
前記所定の条件とは、「暖房運転モード」或いは「冷房運転モード」が開始される条件であることを特徴とする空気調和装置。
【請求項３】
請求項１に記載の空気調和装置において、
前記所定の条件とは、「暖房運転モード」或いは「冷房運転モード」が開始される条件で、しかも前記居室の温度と設定温度の差が所定温度差以上であることを特徴とする空気調和装置。
【請求項４】
請求項１に記載の空気調和装置において、
前記所定時間は、夫々の前記対となる前記吹出口の前記風向調整ルーバーとで、同じ時間に設定されていることを特徴とする空気調和装置。
【請求項５】
居室内の空気を取り込む矩形状に形成された吸込口、前記吸込口の周囲に９０°間隔に配置された吹出口、及び前記吹出口の夫々に配置された風向調整ルーバーを備える矩形状に形成された化粧パネルと、前記吸込口から前記居室の空気を吸い込む送風機、吸い込まれた空気を熱交換する熱交換器、及び前記熱交換器からの熱交換された空気を前記吹出口に流す風路を備える筐体と、少なくとも前記風向調整ルーバーの動作を制御する制御手段からなる室内機を有する空気調和装置の制御方法において、
前記制御手段は、
所定の条件の下で、前記化粧パネルに設けた夫々対向した２つの前記吹出口、或いは隣り合う２つの前記吹出口を対として、前記吹出口に設けた前記風向調整ルーバーを回転させて前記吹出口を遮蔽し、
前記対となる前記吹出口の前記風向調整ルーバーと、この他の対となる前記吹出口の前記風向調整ルーバーを所定時間経過毎に交互に夫々の前記吹出口を遮蔽し、
更に、夫々の前記対となる前記吹出口の前記風向調整ルーバーによって遮蔽する時間の合計時間が所定の制限時間を超えた場合は、全ての前記吹出口を前記風向調整ルーバーによる遮蔽状態から開放状態に移行する
ことを特徴とする空気調和装置の制御方法。
【発明の詳細な説明】
【技術分野】
【０００１】
本発明は居室の天井に埋め込まれた室内機を備える空気調和装置に係り、特に、居室内空気の吸込口の外側に複数の吹出口が形成された室内機を備える空気調和装置及び空気調和装置の制御方法に関するものである。
【背景技術】
【０００２】
室内機が居室の天井に埋め込み配置される天井埋込み型の空気調和装置が知られている。この室内機は、天井裏に配置される筐体内に遠心ファンと室内熱交換器とが配置されており、居室の天井から室内に臨むように矩形の化粧パネルが配置されている。この化粧パネルには４個の吹出口が９０°間隔に配置されており、各吹出口には、吹出口の長手方向の軸まわりに電動機によって回転可能な風向調整用のルーバーが配置されている。尚、機種によっては、２個の吹出口が１８０°間隔に配置された室内機も知られている。
【０００３】
このような吹出口に電動機によって回転されるルーバーを設けた室内機は、例えば、特開２００７−２８５６５２号公報（特許文献１）に記載されている。この特許文献１においては、吹出口に配置したルーバーを内側方向に回転させることで、吹出口から吹き出された空気（温風）を、空気の吸込口の方向に向けて吹き出すショートサーキット状態の運転を行うものである。
【０００４】
これによって、熱交換器において加熱された空気が吸込口から再び吸い込まれるので、吹出口から吹き出される空気の温度を素早く暖める速暖運転を行うことができる。このように、特許文献1に示される空気調和装置は、運転開始時に吹出口から吹き出す空気を素早く暖めるという点においては効果的である。
【先行技術文献】
【特許文献】
【０００５】
【特許文献１】特開２００７−２８５６５２号公報
【発明の概要】
【発明が解決しようとする課題】
【０００６】
ところで、室内機が居室の天井に埋め込まれる空気調和装置は、床面積が比較的大きい居室に設けられるものである。特許文献１に記載されている空気調和装置では、ショートサーキット状態を作る吹出口の温風は再度室内機に吸い込まれて温度が高くなり、この温風が居室内に吹き出されるので局所的な暖房となる傾向がある。
【０００７】
一方、床面積が大きい居室においては、居室の隅々まで温風を行き渡らせる方が、特許文献１に比べて暖房効率が良いものである。また、居室の壁際にいる利用者に対しても、居室の隅々まで温風を行き渡らせる方が暖房効果を実感できるようになる。これは、冷房運転時においても同じことが言えるものである。また、特に、暖房運転や冷房運転を開始する時に、居室の隅々まで温風や冷風を行き渡らせることが居室全体を空調する上で重要である。
【０００８】
本発明の目的は、吹出口から吹き出される温風、或いは冷風の吹出速度を高めて居室内の隅々まで温風、或いは冷風を到達させることができる新規な室内機を備えた空気調和機及び空気調和装置の制御方法を提供することにある。
【課題を解決するための手段】
【０００９】
本発明の特徴は、所定の条件の下で、化粧パネルに設けた風向調整ルーバーを有する複数の吹出口の、少なくとも半分の吹出口の風向調整ルーバーを回転させて吹出口を遮蔽する、ところにある。尚、特に所定の条件として、「暖房運転モード」或いは「冷房運転モード」の運転開始時に、本制御を所定時間に亘って行うことが望ましいものである。
【発明の効果】
【００１０】
本発明によれば、風向調整ルーバーによって半分の吹出口が遮蔽されるので、全体の吹出口の吹出面積が減少し、風向調整ルーバーによって遮蔽していない吹出口からの温風や冷風の吹出風速を増加させることができる。これによって、温風や冷風が遠くまで到達するため、居室の隅々まで温風や冷風を行き渡らせることができる。
【図面の簡単な説明】
【００１１】
【図１】本発明が適用される空気調和機の冷凍サイクルを示す構成図である。
【図２】本発明が適用される空気調和機の室内機の外観図である。
【図３】本発明の実施形態になる室内機の断面図である。
【図４】室内機の吹出口に設けたルーバーの制御フローを示すフローチャートである。
【図５】図３に示す室内機の吹出口の半分のルーバーを閉じた時の、ルーバーが開かれた側の空気の流れを説明する断面図である。
【図６】図３に示す室内機の吹出口の半分のルーバーを閉じた時の、ルーバーが閉じられた側の空気の流れを説明する断面図である。
【発明を実施するための形態】
【００１２】
以下、本発明の実施形態について図面を用いて詳細に説明するが、本発明は以下の実施形態に限定されることなく、本発明の技術的な概念の中で種々の変形例や応用例をもその範囲に含むものである。
【００１３】
本発明の実施形態を説明する前に、先ず空気調和装置の冷凍サイクルについて説明する。本実施形態に係る空気調和装置の室内機は、居室の天井に埋め込まれるものであり、後に詳しく説明する室内機が天井に埋め込まれているものである。
【００１４】
図１は冷凍サイクルを示す冷凍サイクル系統図であり、室外機１０と室内機１１は、冷媒配管である液側接続配管１２とガス側接続配管１３により接続されている。室外機１０には、アキュムレータ（図示せず）、圧縮機１４、四方弁１５、室外側熱交換器１６、第１の膨張弁１７、室外送風機１８などが備えられている。また、液側接続配管１３と接続される液阻止弁（図示せず）、及びガス側接続配管１２と接続されるガス阻止弁（図示せず）が備えられている。また、室内機１１には、室内側熱交換器１９及び第２の膨張弁２０、室外送風機２１等が備えられている。
【００１５】
冷房運転を行う場合には次のように動作する。圧縮機１４で圧縮された高温・高圧のガス冷媒は冷凍機油とともに圧縮機１４から吐出され、その後、四方弁１５を経て、室外側熱交換器１６へと流入し、ここで室外空気或いは冷却水などと熱交換して凝縮、液化する。
【００１６】
凝縮、液化した冷媒は全開とされた第１の膨張弁１７を通り、液阻止弁及び液側接続配管１２を経て、室内機１１へ送られる。室内機１１に流入した液冷媒は、第２の膨張弁２０で減圧されて膨張し、低温・低圧の気液二相流となって、室内側熱交換器１９に入り、ここで室内空気等の利用側媒体と熱交換して利用側媒体を冷却するとともに、自らは蒸発、気化する。
【００１７】
その後、ガス冷媒はガス側接続配管１３を通り、ガス阻止弁、四方弁１５、アキュムレータを経て圧縮機１４へ戻るという冷凍サイクルを構成する。冷凍サイクルの余剰冷媒はアキュムレータに貯留され、冷凍サイクルの運転圧力、温度が正常な状態に保たれるように構成されている。
【００１８】
一方、暖房運転を行う場合には次のように動作する。圧縮機１４で圧縮された高温・高圧のガス冷媒は冷凍機油とともに圧縮機１４から吐出され、四方弁１５、ガス阻止弁、ガス側接続配管１３を経て室内機１１の室内側熱交換器１９へ流入し、ここで室内空気等の利用側媒体と熱交換して利用側媒体を加熱し、自らは凝縮、液化する。
【００１９】
凝縮、液化した冷媒は、液側接続配管１２、液阻止弁を経て、第１の膨張弁１７で減圧され、室外側熱交換器１６で室外空気或いは水などの媒体と熱交換して蒸発、気化する。蒸発、気化した冷媒は四方弁１５、アキュムレータを経て圧縮機１４へ戻るという冷凍サイクルを構成する。
【００２０】
次に、このような空気調和装置に使用される、本発明の実施形態になる室内機の構成と、その動作について説明する。ここで、本実施形態の特徴は、暖房運転或いは冷房運転の運転開始時に、化粧パネルに設けた吹出口の少なくとも半分の吹出口に設けたルーバーを回転させて吹出口を遮蔽するものである。ルーバーによって半分の吹出口が遮蔽されるので、全体の吹出口の吹出面積が減少し、ルーバーによって遮蔽していない吹出口からの温風や冷風の吹出風速を増加させることができる。これによって、温風や冷風が遠くまで到達するため、居室の隅々まで温風や冷風を行き渡らせることができる。
【００２１】
図２は室内機１１の外観を示しており、化粧パネル３４と熱交換用筐体２２（以下、筐体２２と表記する）から構成されている。筐体２２の内部には熱交換器と送風機が内蔵されており、居室内の空気を吸込みグリル３４ａに設けた吸込口３４ｂから取り入れ、取り入れられた空気は熱交換器で熱交換され、その後、吹出口３４ｄ１、３４ｄ２、３４ｄ３、３４ｄ４から吹き出されるものである。
【００２２】
化粧パネル３４の１つのコーナー部には、輻射温度センサ３７が取り付けられている。輻射温度センサ３７は、空調エリアの利用者や床面、什器等が放射する輻射熱を検出するものであり、図示しない制御装置に設けた演算手段によって平均温度を求めている。制御装置は、求められた平均温度によって冷風や温風の吹き出し方向を調整している。
【００２３】
化粧パネル３４は、矩形状に形成されており、偶数個、ここでは４個の９０°間隔に配置された吹出口３４ｄ１、３４ｄ２、３４ｄ３、３４ｄ４が夫々隣り合うように形成されている。尚、偶数個の吹出口として２個の１８０°間隔に配置された吹出口も知られている。
【００２４】
吹出口３４ｄ１と吹出口３４ｄ３は、互いに向き合った１８０°間隔に配置され、吹出口３４ｄ２と吹出口３４ｄ４も、互いに向き合った１８０°間隔に配置されている。また、各吹出口３４ｄ１〜３４ｄ４の内側には、矩形の吸込みグリル３２ａが配置されており、その表面には居室内の空気を吸い込む吸込口３４ｂが形成されている。
【００２５】
次に、室内機の詳しい構成を図３を用いて説明する。図３は室内機の縦断面を示しており、以下の室内機の説明における上下方向は、この室内機を天井に埋め込んだ状態を上下方向の基準としている。
【００２６】
図３に示すように、室内機は、居室を構成する天井９に取り付けられる化粧パネル３４と、化粧パネル３４の上方、つまり天井９の裏側に配置される筐体２２と、この筐体２２内に配置される送風機３１と、この筐体２２内で送風機３１の周囲に配置される熱交換器１９とを備えている。筐体２２は上面壁２２aと側面壁２２ｂより構成された箱状に形成されており、この内部に送風機３１と熱交換器１９が配置されている。
【００２７】
筐体２２は、例えば発泡スチロール等の可撓性を有する断熱樹脂材料で形成される内側壁と、この内側壁の外側に隣接して配置される板金等の金属材料で形成される外側壁とを備えて構成されている。
【００２８】
化粧パネル３４は、筐体２２の下方に配置されており、筐体２２の横断面形状よりも大きく形成された平面形状を有する略板状体で形成され、筐体２２の下方の開口を覆うように配置されている。この化粧パネル３４は、天井９に形成された取付開口部に嵌め込まれている。
【００２９】
化粧パネル３４の中央部には、矩形状の吸込グリル３４ａが着脱自在に取り付けられ、この吸込グリル３４ａの表面には、吸込口３４ｂが形成されている。また、吸込グリル３４ａの周囲の化粧パネル３４には、９０°間隔に吹出口３４ｄ１、３４ｄ２、３４ｄ３、３４ｄ４が夫々隣り合うように形成されている。これらの吹出口３４ｄ１〜３４ｄ４は、筐体２２内での熱交換器１９下流側の空間、つまり熱交換器１９の外周側と筐体２２との間に形成される風路空間３８と、居室空間とを連通させるように形成されている。本実施形態での吹出口３４ｄ１〜３４ｄ４は、開口形状が細長の矩形に形成されており、吸込口３４ｂを囲むように９０°間隔に配置されている。
【００３０】
各吹出口３４ｄ１〜３４ｄ４には、夫々の吹出口３４ｄ１〜３４ｄ４に対応して風向調整ルーバーＡ３９ｄ１、風向調整ルーバーＢ３９ｄ２、風向調整ルーバーＣ３９ｄ３、風向調整ルーバーＤ３９ｄ４が配置されている。各風向調整ルーバー３９ｄ１〜３９ｄ４は電動機（図示せず）によって回転され、各吹出口３４ｄ１〜３４ｄ４に対して全閉状態まで変位可能である。尚、風向調整ルーバー３９ｄ１〜３９ｄ４は全閉状態までの間で、送風機３１から送られてくる温風、或いは冷風の吹き出し方向を調整することができる。
【００３１】
送風機３１は、遠心ファン３２と、ファン用電動機３３とから構成されており、遠心ファン３２は、ファン用電動機３３の回転軸３３ａを中心にして周方向に離間する複数の翼３２ａを有している。ファン用電動機３３は、筐体２２の上面壁２２ａの中央部に配置され、このファン用電動機３３の回転軸３３ａに、遠心ファン３２が取り付けられている。
【００３２】
ファン用電動機３３の回転力によって遠心ファン３２が回転すると、吸込口３４ｂから居室の空気が筐体２２内に吸い込まれ、各吹出口３４ｄ１〜３４ｄ４から熱交換された空気が、温風、或いは冷風となって吹き出されるようになる。尚、遠心ファン３２の下方には、吸込口３４ｂとの間にベルマウス部３５が配置されている。ベルマウス部３５は、吸込口３４ｂから吸い込まれた空気を遠心ファン３２に効率よく導くための部材である。このベルマウス部３５は、吸込口３４ｂ側から遠心ファン３２側に向かって徐々に縮径する形状に形成されている。
【００３３】
また、ベルマウス部３５の下面側には、室内機の運転を制御するための制御装置を収容する電装品箱（図示省略）が配置されている。また、熱交換器１９の下端面にはドレンパン３６が配設されている。ドレンパン３６は、熱交換器１９の下方に配置され、冷房時に熱交換器１９で生じた凝縮水を受け入れ、外部に排出するためのものである。
【００３４】
そして、図３においては、黒矢印ＢＡで示すように吸込口３４ｂから取り込まれた居室の空気は、熱交換器１９で熱交換されて各吹出口３４ｄ１〜３４ｄ４から白抜き矢印ＷＡで示す方向に速度Ｓ１で吹き出される。この時、各吹出口３４ｄ１〜３４ｄ４に配置された風向調整ルーバー３９ｄ１〜３９ｄ４は同じ開度で開かれており、各吹出口３４ｄ１〜３４ｄ４から吹き出す空気の速度はほぼ同じ速度である。
【００３５】
しかしながら、このような制御を実行すると、送風機３１の送風量が限られていることから、床面積が大きい居室においては、居室の隅々まで温風や冷風を行き渡らせることが難しくなる。また、居室の壁際にいる利用者に対しても、居室の隅々まで温風や冷風を行き渡らせることができなく暖房効果や冷房効果を実感できない恐れがある。したがって、居室の隅々まで温風や冷風を行き渡らせることが居室全体を空調する上で重要である。
【００３６】
このような背景のもと、本実施形態は次のような制御を提案するものである。つまり、化粧パネル３４に設けた各吹出口３４ｄ１〜３４ｄ４の、例えば少なくとも半分の吹出口３４ｄ２、３４ｄ４に設けた、風向調整ルーバーＢ３９ｄ２と風向調整ルーバーＤ３９ｄ４を回転させて吹出口３４ｄ２、３４ｄ４を遮蔽するものである。
【００３７】
風向調整ルーバー３９ｄ２、３９ｄ４によって吹出口３４ｄ２、３４ｄ４が遮蔽されるので、全体の吹出口の吹出面積が減少し、風向調整ルーバー３９ｄ１、３９ｄ３によって遮蔽していない吹出口３９ｄ１、３９ｄ３からの温風や冷風の吹出風速を増加させることができる。これによって、温風や冷風が遠くまで到達するため、居室の隅々まで温風や冷風を行き渡らせることができる。
【００３８】
同様にして、吹出口３４ｄ１、３４ｄ３に設けた、風向調整ルーバーＡ３９ｄ１と風向調整ルーバーＣ３９ｄ３を回転させて吹出口３４ｄ１、３４ｄ３を遮蔽するものである。風向調整ルーバー３９ｄ１、３９ｄ３によって吹出口３４ｄ１、３４ｄ３が遮蔽されるので、全体の吹出口の吹出面積が減少し、風向調整ルーバー３９ｄ２、３９ｄ４によって遮蔽していない吹出口３９ｄ２、３９ｄ４からの温風や冷風の吹出風速を増加させることができる。これによって、温風や冷風が遠くまで到達するため、居室の隅々まで温風や冷風を行き渡らせることができる。そして、これらの動作は交互に行われるものである。
【００３９】
次に、上述した動作を実行する具体的な制御フローについて、図４〜図６を用いて詳細に説明する。
【００４０】
図４においては、図示しない制御装置によって実行される「風速増大制御モード」を実行する制御フローであり、所定の時間毎に起動されて実行されるものである。ここで、本実施形態では、所定の条件、ここでは居室内のコントローラの暖房スイッチが押され、所定時間毎に実行される或る起動タイミングでこの暖房スイッチの投入が検知されて「暖房運転モード」が開始された場合を想定している。
【００４１】
そして、利用者によって空気調和装置のコントローラの暖房スイッチ（所定の条件の１つ）が押されると、制御装置は空気調和装置の稼働を開始する。尚、「冷房運転モード」の場合も同様であるので、ここでは説明を省略する。
【００４２】
≪ステップＳ１０≫
ステップＳ１０では、居室温度を測定して設定温度との比較を実行する。具体的には、設定温度Ｔｓｅｔと測定温度Ｔａｃとを比較してその差分値（ΔＴaｃ）を求め、この差分値（ΔＴaｃ）が設定された設定差分値ΔＴより小さいとステップＳ１１に移行し、差分値が設定された差分値ΔＴより大きいとステップＳ１２に移行する。尚、この判断条件も所定の条件の一つである。
【００４３】
差分値（ΔＴaｃ）が設定差分値ΔＴより小さいと、居室がさほど寒くないと見做し、差分値（ΔＴaｃ）が設定差分値ΔＴより大きいと、居室が寒くなっていると見做している。この判断処理が終了すると、どちらかのステップに移行する。
【００４４】
≪ステップＳ１１≫
ステップＳ１０で差分値（ΔＴaｃ）が設定された設定差分値ΔＴより小さいと判断されているので、ステップＳ１１では通常運転を実施する。この通常運転は図３に示すように、全ての吹出口３４ｄ１〜３４ｄ４から温風を吹き出すものであり、送風機３１の送風量が各吹出口３４ｄ１〜３４ｄ４に分割されて供給され、各吹出口３４ｄ１〜３４ｄ４から吹き出される温風の速度は速度Ｓ１である。この制御は従来の室内機と同様である。このステップＳ１１が終了すると、エンドに抜けて次の起動タイミングを待つことになる。
【００４５】
≪ステップＳ１２≫
ステップＳ１０で差分値（ΔＴaｃ）が設定された設定差分値ΔＴより大きいと判断されているので、ステップＳ１２では本実施形態による風速を高める制御を実行する。ステップＳ１２では、風向調整ルーバーＡ３９ｄ１と風向調整ルーバーＣ３９ｄ３を１つの対として開いた状態とし、風向調整ルーバーＢ３９ｄ２と風向調整ルーバーＤ３９ｄ４をもう１つの対として閉じた状態とする。
【００４６】
図５は風向調整ルーバーＡ３９ｄ１と風向調整ルーバーＣ３９ｄ３が開いた状態を示している。吹出口３４ｄ１と吹出口３４ｄ３とは、１８０°間隔の位置に配置されているので、温風は互いに反対方向に吹き出されることになる。一方、図６は風向調整ルーバーＢ３９ｄ２と風向調整ルーバーＤ３９ｄ４が閉じた状態を示している。吹出口３４ｄ２と吹出口３４ｄ４とは、１８０°間隔の位置に配置されているが、この状態では温風は吹き出されないものである。
【００４７】
したがって、送風機３１から送られる温風は、吹出口３４ｄ１と吹出口３４ｄ３とから吹き出され、吹出口３４ｄ２と吹出口３４ｄ４からは吹き出されないものである。このため、送風機３１の送風量が図３の場合と同じとすると、吹出口３４ｄ１と吹出口３４ｄ３とから吹き出される温風の速度は速度Ｓ２（Ｓ２＞Ｓ１）となり、また吹出口単独で見るとその風量も多くなるものである。これによって、多くの温風が速い速度で吹き出されるため、温風が遠くまで到達することができ、居室の隅々まで温風を行き渡らせることができる。このステップＳ１２が終了するとステップＳ１３に移行する。
【００４８】
≪ステップＳ１３≫
ステップＳ１３では、ステップＳ１２の制御を所定時間Ｔ１だけ実行したかどうかを判断している。この場合は、ステップ１２の実行と同時にフリーランタイマを起動して経過時間を測定し、設定時間Ｔ１が経過するまでステップＳ１２の制御状態を維持する。ここで、設定時間Ｔ１は３分〜５分に設定されており、この設定時間Ｔ１だけ吹出口３４ｄ１と吹出口３４ｄ３とから温風が吹き出されているものである。フリーランタイマの経過時間が設定時間Ｔ１に達すると、ステップＳ１３の処理が完了してステップＳ１４に移行する。
【００４９】
≪ステップＳ１４≫
ステップＳ１４では、ステップＳ１２とは逆に風向調整ルーバーＢ３９ｄ２と風向調整ルーバーＤ３９ｄ４を開いた状態とし、風向調整ルーバーＡ３９ｄ１と風向調整ルーバーＣ３９ｄ３を閉じた状態とする。
【００５０】
この場合、図５では風向調整ルーバーＢ３９ｄ２と風向調整ルーバーＤ３９ｄ４が開いた状態となる。吹出口３４ｄ２と吹出口３４ｄ４とは、１８０°間隔の位置に配置されているので、温風は互いに反対方向に吹き出されることになる。一方、図６では風向調整ルーバーＡ３９ｄ１と風向調整ルーバーＢ３９ｄ３が閉じた状態となる。吹出口３４ｄ１と吹出口３４ｄ３とは、１８０°間隔の位置に配置されているが、この状態では温風は吹き出されないものである。
【００５１】
したがって、送風機３１から送られる温風は、吹出口３４ｄ２と吹出口３４ｄ４とから吹き出され、吹出口３４ｄ１と吹出口３４ｄ３からは吹き出されないものである。このため、送風機３１の送風量が図３の場合と同じとすると、吹出口３４ｄ２と吹出口３４ｄ４とから吹き出される温風の速度は速度Ｓ２（Ｓ２＞Ｓ１）となり、また吹出口単独で見るとその風量も多くなるものである。これによって、温風が遠くまで到達するため、居室の隅々まで温風を行き渡らせることができる。このステップＳ１４が終了するとステップＳ１５に移行する。
【００５２】
≪ステップＳ１５≫
ステップＳ１５では、ステップＳ１４の制御を所定時間Ｔ２だけ実行したかどうかを判断している。この場合も、ステップ１４の実行と同時にフリーランタイマを起動して経過時間を測定し、設定時間Ｔ２が経過するまでステップＳ１４の制御状態を維持する。ここで、設定時間Ｔ２は設定時間Ｔ１と同じ３分〜５分に設定されており、この設定時間Ｔ２だけ吹出口３４ｄ２と吹出口３４ｄ４とから温風が吹き出されているものである。フリーランタイマの経過時間が設定時間Ｔ２に達すると、ステップＳ１５の処理が完了してステップＳ１６に移行する。
【００５３】
≪ステップＳ１６≫
ステップＳ１６では、ステップＳ１２〜ステップＳ１５の制御の結果、居室温度が設定温度まで上昇したかどうかが判断される。具体的には制御ステップＳ１０と同じ判断を実行している。設定温度Ｔｓｅｔと測定温度Ｔａｃとを比較してその差分値（ΔＴaｃ）を求め、この差分値（ΔＴaｃ）が設定された設定差分値ΔＴより小さいとステップＳ１７に移行し、差分値（ΔＴaｃ）が設定された差分値ΔＴより大きいとステップＳ１８に移行する。この判断処理が終了すると、どちらかのステップに移行する。
【００５４】
≪ステップＳ１７≫
ステップＳ１６で差分値（ΔＴaｃ）が設定された設定差分値ΔＴより小さいと判断されているので、ステップＳ１７では通常運転に移行する。この通常運転は図３に示すように、全ての吹出口３４ｄ１〜３４ｄ４から温風を吹き出すものである。送風機３１の送風量が各吹出口３４ｄ１〜３４ｄ４に分割されて供給され、各吹出口３４ｄ１〜３４ｄ４から吹き出される温風の速度は速度Ｓ１に復帰する。このステップＳ１７が終了すると、エンドに抜けて次の起動タイミングを待つことになる。
≪ステップＳ１８≫
ステップＳ１６で差分値（ΔＴaｃ）が設定された設定差分値ΔＴより大きいと判断されているので、ステップＳ１８ではステップＳ１２〜ステップＳ１５の制御を継続する。ここで、ステップＳ１８では、ステップＳ１２〜ステップＳ１５の制御を制限時間Ｔ３だけ実行したかどうかを判断している。この場合は、ステップ１２の実行と同時にフリーランタイマを起動して経過時間を測定する。制限時間Ｔ３が経過しない間はステップＳ１２に戻ってステップＳ１２〜ステップＳ１６の制御状態を繰り返すものである。つまり、ステップＳ１２〜ステップＳ１６の合計実行時間を制限時間Ｔ３と比較するものである。
【００５５】
ここで、制限時間Ｔ３は１５分に設定されており、この制限時間Ｔ３の間だけ吹出口３４ｄ１と吹出口３４ｄ３、或いは吹出口３４ｄ２と吹出口３４ｄ４とから交互に温風が吹き出されているものである。フリーランタイマの経過時間が制限時間Ｔ３に達すると、ステップＳ１８の処理が完了してステップＳ１９に移行する。
【００５６】
この制限時間Ｔ３の長さは任意であるが、いつまでも吹出口３４ｄ１と吹出口３４ｄ３、或いは吹出口３４ｄ２と吹出口３４ｄ４とから交互に温風が吹き出していると、利用者が不快になる恐れがあることから、このような制限時間Ｔ３を設定している。尚、フリーランタイマによる時間測定とは別に、この制御フローが時間同期で起動されているので、起動回数をカウントして制限時間（この場合は、起動回数の閾値となる）と比較しても良いものである。このステップＳ１８の処理が終了すると、ステップＳ１９に移行する。
【００５７】
≪ステップＳ１９≫
ステップＳ１８で制限時間Ｔ３を経過したと判断されると、ステップＳ１９では通常運転に移行する。この通常運転も図３に示すように、全ての吹出口３４ｄ１〜３４ｄ４から温風を吹き出すように、吹出口３４ｄ１〜３４ｄ４を風向調整ルーバー３９ｄ１〜３９ｄ４による遮蔽状態から開放状態に移行させるものである。そして、送風機３１の送風量が各吹出口３４ｄ１〜３４ｄ４に分割されて供給され、各吹出口３４ｄ１〜３４ｄ４から吹き出される温風の速度は速度Ｓ１に復帰する。このステップＳ１９が終了すると、エンドに抜けて次の起動タイミングを待つことになる。
【００５８】
このように、本実施形態では、所定時間だけ吹出口３４ｄ２、３４ｄ４に設けた風向調整ルーバーＢ３９ｄ２と風向調整ルーバーＤ３９ｄ４を回転させて、吹出口３４ｄ２、３４ｄ４遮蔽し、また、この所定時間に続く次の所定時間だけ吹出口３４ｄ１、３４ｄ３に設けた風向調整ルーバーＡ３９ｄ１と風向調整ルーバーＣ３９ｄ３を回転させて、吹出口３４ｄ１、３４ｄ３を遮蔽し、これを交互に繰り返すものである。
【００５９】
風向調整ルーバー３９ｄ２、３９ｄ４によって吹出口３４ｄ２、３４ｄ４が遮蔽され、或いは風向調整ルーバー３９ｄ１、３９ｄ３によって吹出口３４ｄ１、３４ｄ３が遮蔽されるので、全体の吹出口の吹出面積が減少し、風向調整ルーバーによって遮蔽していない吹出口からの温風や冷風の吹出風速を増加させることができる。これによって、温風や冷風が遠くまで到達するため、居室の隅々まで温風や冷風を行き渡らせることができるようになる。
【００６０】
尚、図６からわかるように、風向調整ルーバーＢ３９ｄ２と風向調整ルーバーＤ３９ｄ４によって、吹出口３４ｄ２と吹出口３４ｂ４を遮蔽することで、吸い込みグリル３４ａの吸込口３４ｂに吸い込まれる空気量を多くすることができる。図３に示しているように、吹出口３４ｄ２、３４ｄ４から温風が速度Ｓ１で吹き出されていると、この温風が抵抗となって居室の空気が吸込口３４ｂから吸い込み難くなる。
【００６１】
これに対して、本実施形態では吹出口３４ｄ２と吹出口３４ｂ４から吹き出す温風が遮蔽されているので、吹出口３４ｄ２と吹出口３４ｄ４の辺の側から居室の空気を吸込口３４ｂに吸い込み易くすることができる。これによって、効率よく低温の空気の熱交換を行うことができ、居室全体の温度を設定温度に素早く移行させることができる。
【００６２】
尚、機種によっては、２個の吹出口が１８０°間隔に配置された室内機も知られているので、この場合は、夫々の吹出口を風向調整ルーバーによって交互に閉じることで上述した実施形態と同じ作用、効果を得ることができる。
【００６３】
また、本実施形態では１８０°で対向する吹出口の風向調整ルーバーを対として制御しているが、９０°隣り合う吹出口の風向調整ルーバーを１つの対として制御するようにしても良いものである。
【００６４】
以上に述べた通り、本発明においては、化粧パネルに設けた吹出口の少なくとも半分の吹出口に設けたルーバーを回転させて吹出口を遮蔽する構成とした。ルーバーによって半分の吹出口が遮蔽されるので、全体の吹出口の吹出面積が減少し、ルーバーによって遮蔽していない吹出口からの温風や冷風の吹出風速を増加させることができる。これによって、温風や冷風が遠くまで到達するため、居室の隅々まで温風や冷風を行き渡らせることができる。
【００６５】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【００６６】
１０…室外機、１１…室内機、１２…液側接続配管室外機、１３…ガス側接続配管、１４…圧縮機、１５…四方弁、１６…室外熱交換器、１７…室外膨張弁、１８…室外送風機、１９…室内熱交換器、２０…室内膨張弁、２１…室外送風機、２２…筐体、２２ａ…側面壁、２２ｂ…上面壁、３１…室内送風機、３２…遠心ファン、３２ａ…翼、３３…ファン用電動機、３３ａ…回転軸、３４…化粧パネル、３４ｂ…吸込口、３４ｂ…吸込グリル、３４ｄ１〜３４ｄ４…吹出口、３５…ベルマウス、３６…ドレンパン、３７…輻射温度センサ、３８…風路空間、３９ｄ１〜３９ｄ４…風向調整ルーバー。
【図１】
0006719975.tif 000002
【図２】
0006719975.tif 000003
【図３】
0006719975.tif 000004
【図４】
0006719975.tif 000005
【図５】
0006719975.tif 000006
【図６】
0006719975.tif 000007